(57)【要約】【課題】金属製の物干竿支持アームに金属製の物干竿が装架され、強風時に物干竿が支持アームの竿体支持孔内で動き振動音を発生したり、洗濯物を干している時金属同士が擦れ合い音を発生することを防止する。また、金属製の物干竿支持アームと物干竿の接触は、互いの表面保護皮膜を削り取りその部分に雨水が介在すると電蝕を起こしサビが発生することを防止する。更に高層マンション等において重大な事故につながる物干竿の落下防止策を提供する。【解決手段】物干竿を装架して支持する支持アームには複数個の竿体支持孔を穿設して設け、該支持アームに穿設された竿体支持孔の縁部には合成樹脂やゴム等の軟質系材料で不導体材料からなるカバー材を被覆せしめ、前記物干竿はカバー材を介して支持アームに装着されて装架されるようになし、該カバー材にて前記竿体支持孔と挿着された物干竿間に隙間があっても音鳴りを発生することがなく、且つ前記竿体支持孔内で物干し竿が移動したり回動しても物干竿の表面保護皮膜が損傷して竿体支持孔の縁部と物干竿間で電蝕を起こさないように構成した。【選択図】図１
2005152530.tif 000002
【特許請求の範囲】
【請求項１】
物干竿を装架して支持する支持アームに複数個の竿体支持孔を穿設し、該支持アームに穿設された竿体支持孔の縁部に合成樹脂やゴム等の軟質系材料で不導体材料からなるカバー材を被覆せしめ、前記物干竿はカバー材を介して支持アームに装着されて装架されるようになし、該カバー材にて前記竿体支持孔と挿着された物干竿間に隙間があっても音鳴りを発生することがなく、且つ前記竿体支持孔内で物干し竿が移動したり回動しても物干竿の表面保護皮膜が損傷して竿体支持孔の縁部と物干竿間で電蝕を起こさないように構成したこと、
を特徴とする物干金物における物干竿の支持アーム。
【請求項２】
前記合成樹脂やゴム等の軟質系材料で不導体材料からなるカバー材を、支持アームに穿設された竿体支持孔の縁部断面形状に合わせて略コの字型に形成し、該カバー材の柔らかさを利用して前記竿体支持孔縁部に嵌着すること、  を特徴とする請求項１記載の物干金物における物干竿の支持アームにおける竿体支持孔の縁部カバー。
【請求項３】
前記合成樹脂やゴム等の材料で形成されるカバー材を二分割した部品にて製作し、該二分割した部品を竿体支持孔の縁部で嵌合することにより、該竿体支持の縁部で挟持され嵌着すること、
を特徴とする請求項１または請求項２に記載の物干金物における物干竿の支持アームにおける竿体支持孔の縁部カバー。
【請求項４】
物干竿を装架して支持する支持アームに複数個の竿体支持孔を穿設し、該支持アームに穿設された竿体支持孔の縁部に合成樹脂やゴム等の軟質系材料で不導体材料からなるカバー材を被覆せしめ、該カバー材には竿体支持孔の中央に向かって突出ヒレを鍔状に設け、また該突出ヒレの鍔部中央には物干竿の挿着孔と放射状に配置された鍔部スリットを設け、該鍔部にて物干竿を挟持することで音鳴り防止し、且つ前記竿体支持孔内より物干竿が脱落しないように構成したこと、
を特徴とする物干金物における物干竿の支持アーム。
【請求項５】
支持アームに穿設された竿体支持孔の両サイドまたは片側に合成樹脂等からなる竿体支持孔径の可変片を設け該可変片をビス等にて支持アームに固着することにより、該孔径の可変片にて竿体支持孔の内径を調節し物干竿のエンドキャップ鍔部に係合したりエンドキャップ肉厚部を係合部として物干し竿が支持アームの竿体支持孔より脱落しないよう構成したこと、
を特徴とする物干金物における物干竿の支持アーム。
【発明の詳細な説明】
【技術分野】
【０００１】
本発明はマンションのバルコニー等に設置される物干金物における物干竿の支持アームに関するものである。
【０００２】
近時、マンションのバルコニー等に設置される物干金物における物干竿の支持アームは、多くの場合アルミダイキャスト成型品で製作されている。また、物干竿は樹脂被覆されたスチールパイプや電解処理されたアルミパイプ、並びにクローム析出ステンレスパイプ等で製作されており、前記支持アーム、物干竿共に金属製であることが多い。
【０００３】
本発明における物干竿の支持アームは、強風時に物干竿が支持アームの竿体支持孔内で動き振動音発生したり、洗濯物を干している時、或いは物干竿の支持アームを可動調整している時に、金属同士が擦れ合い音を発生することを防止した物干竿の支持アームに関するものである。
【０００４】
また、本発明は、アルミダイキャスト製の支持アームの竿体支持孔内に係合支持された物干竿が、強風時や洗濯物を干している時、或いは支持アームの可動調整時に支持アームの竿体支持孔内で動き移動し、または回動して該物干竿の表面保護皮膜（スチール製の竿においては樹脂皮膜、アルミ製竿においては電解処理皮膜、ステンレス製の竿においてはクローム析出皮膜）を削り取り該部分が雨水により電蝕を起こすことを防止した物干竿の支持アームに関するものである。
【０００５】
更にまた、本発明は、高層マンション等において重大な事故につながる物干竿の落下を防止するために、該物干竿をしっかりと挟持して保持出来る機構を備えた物干竿の支持アームを提供するものである。
【背景技術】
【０００６】
マンション等のバルコニーに設置される物干金物は、バルコニー壁面を構成する立ち上がり壁、或いは、バルコニー手摺を構成する手摺の支柱に台座金物を介して取り付けられる。前記物干金物は、上下にスライドして高さ調整の可能なポールと、該ポールの上端部に持ち出し角度調整と収納操作の可能な物干竿の支持アームを具備しており、該物干竿の支持アームには複数個の竿体支持孔が設けられている。
【０００７】
而して、前記物干金物は、バルコニー内で対向して一対設置されるもので、ポール上端部に具備された一対の支持アーム間には、それぞれの竿体支持孔に挿通された物干竿が、一本又は複数本装架されており、該物干竿を支持アームから抜くこともなく装架したままの状態で、高さ調整、持ち出し角度調整を行い洗濯物を干すことが出来、また洗濯物を取り込んだ後に、前記高さ調整ポールを下げ降ろし、収納も物干竿を挿したまま行える。
【０００８】
然しながら、物干金物における物干竿の支持アームは、多くの場合アルミダイキャスト成型品で製作され焼付塗装が施されている。また、物干竿は樹脂被覆されたスチールパイプや、電解処理されたアルミパイプ、並びにステンレスパイプ等で製作されており、前記支持アーム、物干竿共に金属製であることが多い。
【０００９】
従って、物干竿の支持アームは、強風時に物干竿が支持アームの竿体支持孔内で動き振動音発生したり、洗濯物を干している時、或いは物干竿の支持アームを可動調整、または収納してしている時に、金属同士が擦れ合う音を発生する欠点があった。
【００１０】
また、アルミダイキャスト製の支持アームの竿体支持孔内に係合支持された物干竿が、強風時や洗濯物を干している時、或いは支持アームの可動調整時に支持アームの竿体支持孔内で動き移動し、または回動して該物干竿の表面保護皮膜（スチール製の竿においては樹脂皮膜、アルミ製竿においては電解処理皮膜、ステンレス製の竿においてはクローム析出皮膜）を削り取り該部分が雨水により電蝕を起こして、通常２〜３年でサビを発生せしめ、結果洗濯物に付着してしまう弊害が多く発生している。
【００１１】
更にまた、バルコニーの物干金物は、洗濯物を干したり取り込んだりする際に人為的に物干竿を横ずれさせてしまったり、洗濯物を干している時に該洗濯物が風をはらんで物干竿を横ずれさせ、前記支持アームの竿体支持孔間より外れてしまい物干竿が落下することを防止するための構成が重要であり、該物干竿をしっかりと挟持出来る機構を備えていないと高層マンション等で重大な事故につながるおそれがある。
【００１２】
而して、従来技術を検索しても、前記、強風時に物干竿が支持アームの竿体支持孔内で動いてしまい振動音が発生したり、洗濯物を干している時、或いは物干竿の支持アームを可動調整または収納時に、金属同士が擦れ合う音を発生するという欠点を解消する手段は見つけることができなかった。
【００１３】
また、上記強風時に発生する振動音、金属同士が擦れ合う時に発生する擦れ合い音の発生を防いで、該音の発生部位が互いに摩耗して雨水などが介在すると電蝕を起こしてサビが発生することを防止する手段を見い出すこともできなかった。
【００１４】
然しながら物干竿の落下防止策に関しては従来より何種類かの提案がなされており、
【特許文献１】では、シーツ等の如き大きな洗濯ものを干したときに風をはらんで物干し杆と共に浮上し、物干し台よりはずれて落下し、半乾きの洗濯物を汚損したり、二階以上の高所に干している時は落下する物干し杆によって怪我をする等の危険もあり、物干し杆を確実に保持出来て簡単迅速に脱着できる物干し杆の提供を目的としている。
【００１５】
そして、
【特許文献１】においては、杆体の外径よりやや径大な略U字状を呈する溝を設け、該Ｕ字状溝のうち少なくとも一側の上方部に開口を設け、該開口より前記Ｕ字状溝内へ突出・退避自在な係合片を配設し、該係合片は常時先端が前記Ｕ字状溝内へ突出する方向にねじりコイルばねにより付勢した構造を提供している。
【００１６】
また、
【特許文献２】では、強風時に使用しても物干竿が洗濯物ごと吹き飛ばされる恐れのない物干金具を提供することを目的に、物干竿を下方から支持する上方開放のフックを備えた物干金具において、前記フックに物干竿の上面を押圧するロック位置と物干竿の上面から離間する非ロック位置間を移動可能なロック部材を設けたり、前記ロック部材が引張スプリングを有するトグル機構によってロック位置と非ロック位置の何れかの位置に選択的に付勢される、という構造が提示されている。
【００１７】
斯くして、
【特許文献１】並びに
【特許文献２】においては、強風時に洗濯物が風をはらんで物干竿ごと吹き飛ばされ、該物干竿が落下するのを防止するためにねじりコイルばねや、引張スプリングにて付勢される係合片やロック部材にて物干竿をＵ字状溝やフック下方に常に押圧、固定している物干金物が開示されている。
【００１８】
しかし、ねじりコイルばねや、引張スプリングを建物外部に用いられる物干金物に使用すること自体が、該コイルばねやスプリングから直ちにサビを発生せしめ、洗濯物に付着させてしまうという欠陥を有している。
【００１９】
また、物干竿を一定箇所にて係合片やロック部材にて押圧し固定すると、洗濯物を干す時にはどうしても物干竿が回動してしまい、前記物干竿の押圧、固定部分を互いに擦り減らしてしまう。勿論、物干竿表面や竿受け支持アームには、サビ止め防止のために焼付塗装皮膜や樹脂皮膜、或いは電解処理膜が施されているが、完全な固定ではない、前記物干竿と竿受け支持アームの接蝕部は、物干竿の回動によりすり減り、雨水がかかると電蝕を起こし、該接触部からサビが発生することは避けられない。
【特許文献１】実開昭６３−３７１９０号公報
【特許文献２】実開平３−３８０９６号公報
【発明の開示】
【発明が解決しようとする課題】
【００２０】
本発明が解決しようとする課題は、バルコニー壁面を構成する立ち上がり壁面、或いは、バルコニー手摺を構成する手摺の支柱に取り付けられる物干金物において、物干竿の支持アームは、強風時に物干竿が支持アームの竿体支持孔内で動き振動音が発生したり、洗濯物を干している時、或いは物干竿の支持アームを可動調整している時に、金属同士が擦れ合う音を発生することを防止した物干竿の支持アームを提供するものである。
【００２１】
また、本発明は、アルミダイキャスト製の支持アームの竿体支持孔内に係合支持された物干竿が、強風時や洗濯物を干している時、或いは支持アームの可動調整時に支持アームの竿体支持孔内で動き移動し、または回動して該物干竿の表面保護皮膜（スチール製の竿においては樹脂皮膜、アルミ製竿においては電解処理皮膜、ステンレス製の竿においてはクローム析出皮膜）を削り取り該部分が雨水により電蝕を起こすことを防止した物干竿の支持アームを提供するものである。
【００２２】
更にまた、本発明は、高層マンション等において重大な事故につながる物干竿の落下を防止するために、該物干竿をサビを発生せしめない材料と機構によって、しっかりと挟持して保持出来る機構を備えた物干竿の支持アームを提供するものである。
【課題を解決するための手段】
【００２３】
斯くして本発明は、強風時に物干竿が支持アームの竿体支持孔内で動き振動音を発生したり、洗濯物を干している時、或いは物干竿の支持アームを可動調整している時に、金属同士が擦れ合い音を発生することを防止しするため、並びに金属同士の擦れ合いが、互いの表面保護皮膜を損傷して、雨水等が介在すると電蝕を起こし非常に短期間のうちにサビを発生させることを防止するために次の解決手段を提案した。
【００２４】
即ち、物干竿を装架して支持する支持アームには複数個の竿体支持孔を穿設し、該支持アームに穿設された竿体支持孔の縁部には合成樹脂やゴム等の軟質系材料で不導体材料からなるカバー材を被覆せしめ、前記物干竿はカバー材を介して支持アームに装着されて装架されるようになし、該カバー材にて前記竿体支持孔と挿着された物干竿間に隙間があっても音鳴りを発生することがなく、且つ前記竿体支持孔内で物干し竿が移動したり回動しても物干竿の表面保護皮膜が損傷して竿体支持孔の縁部と物干竿間で電蝕を起こさないように構成した。
【００２５】
また、前記合成樹脂やゴム等の軟質系材料で不導体材料からなるカバー材は、支持アームに穿設された竿体支持孔の縁部断面形状に合わせて略コの字型に形成し、該カバー材の柔らかさを利用して前記竿体支持孔縁部に嵌着することで金属製の物干竿が、同様の金属材料からなる支持アームに直接接蝕している状態を皆無にした。
【００２６】
更に、本発明の実施例において、前記合成樹脂やゴム等の材料で形成されるカバー材を、一体ではなく、二分割した部品にて製作し、該二分割した部品を竿体支持孔の縁部で嵌合することにより、該竿体支持の縁部を挟持して嵌着する、という簡単、且つ容易な取付構造の具体例をも提供している。
【００２７】
そして、本発明は、上記課題を解決する手段のみならず、高層マンション等において重大な事故につながる物干竿の落下を防止するために、前記物干竿をしっかりと挟持して保持出来る機構を備えた物干竿の支持アームを提供するものである。
【００２８】
即ち、上述の提案を具現するには、物干竿を装架して支持する支持アームには複数個の竿体支持孔を穿設し、該支持アームに穿設された竿体支持孔の縁部には合成樹脂やゴム等の軟質系材料で不導体材料からなるカバー材を被覆せしめ、該カバー材には竿体支持孔の中央に向かって突出ヒレを鍔状に設けて、該突出ヒレの鍔部中央には物干竿の挿着孔と放射状に配置された鍔部スリットを設け、該鍔部にて物干竿を挟持することで音鳴り防止し、且つ前記竿体支持孔内より物干竿が脱落しないように構成した。
【００２９】
また、支持アームに穿設された竿体支持孔の両サイド、または片側に合成樹脂等からなる竿体支持孔径の可変片を設け、該可変片をビス等にて支持アームに固着することにより、該孔径の可変片にて竿体支持孔の内径を調節し物干竿のエンドキャップ鍔部に係合したりエンドキャップ肉厚部を係合部として物干し竿が支持アームの竿体支持孔より脱落しないよう構成した。
【発明の効果】
【００３０】
斯くして、本発明においては、物干竿の支持アームは、強風時に物干竿が支持アームの竿体支持孔内で動き振動音発生したり、洗濯物を干している時、或いは物干竿の支持アームを可動調整している時に、金属同士が擦れ合い音を発生することを防止した物干竿の支持アームを提供することができた。
【００３１】
また、本発明は、アルミダイキャスト製の支持アームの竿体支持孔内に係合支持された物干竿が、強風時や洗濯物を干している時、或いは支持アームの可動調整時に支持アームの竿体支持孔内で動き移動し、または回動して該物干竿の表面保護皮膜（スチール製の竿においては樹脂皮膜、アルミ製竿においては電解処理皮膜、ステンレス製の竿においてはクローム析出皮膜）を削り取り該部分が雨水により電蝕を起こすことを防止できた。
【００３２】
更にまた、本発明は、高層マンション等において重大な事故につながる物干竿の落下を防止するために、該物干竿をしっかりと挟持して保持出来る機構を備えた物干竿の支持アームを提供することができた。
【発明を実施するための最良の形態】
【００３３】
本発明を実施するための最良の形態は、物干竿を装架して支持する支持アームに複数個の竿体支持孔を穿設し、該支持アームに穿設された竿体支持孔の縁部に合成樹脂やゴム等の軟質系材料で不導体材料からなるカバー材を被覆せしめ、前記物干竿はカバー材を介して支持アームに装着されて装架されるようになし、該カバー材にて前記竿体支持孔と挿着された物干竿間に隙間があっても音鳴りを発生することがなく、且つ前記竿体支持孔内で物干し竿が移動したり回動しても物干竿の表面保護皮膜が損傷して竿体支持孔の縁部と物干竿間で電蝕を起こさないように構成したこと要旨とする。
【００３４】
そして、前記カバー材の形状実施例として、前記合成樹脂やゴム等の軟質系材料で不導体材料からなるカバー材を、支持アームに穿設された竿体支持孔の縁部断面形状に合わせて略コの字型に形成し、該カバー材の柔らかさを利用して前記竿体支持孔縁部に嵌着することをも要旨としている。
【００３５】
並びに、前記カバー材の他の形状実施例として、前記合成樹脂やゴム等の材料で形成されるカバー材を、一体ではなく、二分割した部品にて製作し、該二分割した部品を竿体支持孔の縁部で嵌合することにより、該竿体支持の縁部を挟持して嵌着することをも具体的な要旨とした。
【００３６】
斯くして、本発明の他の大きな目的は、高層マンション等において重大な事故につながる物干竿の落下を防止するために、該物干竿をしっかりと挟持して保持出来る機構を備えた物干竿の支持アームを提供するものである。
【００３７】
本発明は、物干竿を装架して支持する支持アームに複数個の竿体支持孔を穿設し、該支持アームに穿設された竿体支持孔の縁部に合成樹脂やゴム等の軟質系材料で不導体材料からなるカバー材を被覆せしめ、該カバー材には竿体支持孔の中央に向かって突出ヒレを鍔状に設け、更に該突出ヒレの鍔部中央には物干竿の挿着孔と放射状に配置された鍔部スリットを設け、該鍔部にて物干竿を挟持することで音鳴りを防止し、且つ前記竿体支持孔内より物干竿が脱落しないように構成したことを要旨としている。
【００３８】
そして本発明は、支持アームに穿設された竿体支持孔の両サイド、または片側に合成樹脂等からなる竿体支持孔径の可変片を設け、該可変片をビス等にて支持アームに固着することにより、該孔径の可変片にて竿体支持孔の内径を調節し物干竿のエンドキャップ鍔部に係合したりエンドキャップ肉厚部を係合部として物干し竿が支持アームの竿体支持孔より脱落しないよう構成したことも要旨としている。
【実施例１】
【００３９】
図１は本発明の物干竿の支持アームを物干金物としてバルコニー手摺の立ち上がり壁に取付た状態を示す側面図、図２は図１のＡ−Ａ断面図、図３は図１のＢ−Ｂ断面図、図４は実施例の音鳴り防止、並びに電蝕防止部材の全体形状を示す斜視説明図である。
【００４０】
図１乃至図４において、１は物干金物、２はバルコニー手摺立ち上がり壁、３は台座、４は台座３に対して上下にスライド可能な高さ調整ポール、５はアーム取付本体、６は前記取付本体５に保持され必要に応じ持ち出し角度を可変可能な物干竿の支持アーム、７ａ、７ｂ、７ｃ、７ｄ、７ｅ支持アーム６に適宜穿設された竿体支持孔であり、該竿体支持孔７ａ、７ｂ、７ｃ、７ｄ、７ｅの縁部８ａ、８ｂ、８ｃ、８ｄ、８ｅには、本発明の音鳴り防止と電蝕防止機能を兼ね備えた一体のカバー材９ａ、９ｂ、９ｃ、９ｄ、９ｅが嵌着されている。
【００４１】
音鳴り防止と電蝕防止機能を兼ね備えたカバー材９ａ、９ｂ、９ｃ・・・は合成樹脂、またはゴム等で形成される軟質系材料を前記竿体支持孔の縁部８ａ、８ｂ、８ｃ・・・の断面形状に合わせたコの字形状に成型して、それぞれ図２、並びに図３の如く竿体支持孔の縁部８ａ、８ｂ、８ｃ・・・に嵌着されている。
【００４２】
また本例では、カバー材９ａの全体形状は図４の斜視説明図に示す通り一体の形状であり、該カバー材９ａのコの字形状部１０は、同様の断面形状を有する竿体支持孔の縁部８ａに嵌着されるか、更には接着材を併用して固着しても良い。
【００４３】
而して、カバー材９ａ、９ｂ、９ｃ・・・は合成樹脂、またはゴム等で形成される軟質系材料にて成型され、該材料にて縁部８ａ、８ｂ、８ｃ・・・をカバーされた竿体支持孔７ａ、７ｂ、７ｃ・・・は、アルミ、ステンレス、スチール等の金属材料からなる物干竿が使用されても、強風時に物干竿が支持アーム６の竿体支持孔７ａ、７ｂ、７ｃ・・・内で動き振動音を発生したり、洗濯物を干している時、或いは物干竿の支持アーム６を可動調整、または収納してしている時に、金属同士が擦れ合う音を発生することは完全になくなった。
【００４４】
また、上記カバー材９ａ、９ｂ、９ｃ・・・は、材料が不導体で軟質系であることから、アルミダイキャスト製の支持アーム６の竿体支持孔７ａ、７ｂ、７ｃ・・・内に係合支持された金属製の物干竿が、強風時や洗濯物を干している時、或いは支持アーム６の可動調整時に竿体支持孔７ａ、７ｂ、７ｃ・・・内で動き移動し、または回動して該物干竿の表面保護皮膜（スチール製の竿においては樹脂皮膜、アルミ製竿においては電解処理皮膜、ステンレス製の竿においてはクローム析出皮膜）を削り取られて損傷し、該部分が雨水により電蝕を起こすことが防止できた。
【実施例２】
【００４５】
図５、図６は第二の実施例を示している。
図５は、本発明の音鳴り防止、並びに電蝕防止部材となるカバー材９ａの形状実施例を示す斜視説明図、図６は図５の実施例２を支持アームの竿体支持孔に取付て物干竿を装架した状態を示す斜視説明図である。
【００４６】
図５並びに図６において示す実施例２は製作工程を簡略化したり、実施例１に比較して幾分硬度のある合成樹脂材料やゴム材料を使用できる。
【００４７】
図５または図６において、６は支持アーム、７ａは竿体支持孔、８ａは竿体支持孔の縁部、１１ａ、１１ｂは二分割されて製造されたカバー部品、１２はカバー部品１１ａ、１１ｂを前記竿体支持孔の縁部８ａにて嵌合して取り付けた竿体支持孔７ａに挿着された物干竿を示している。
【００４８】
而して実施例２は、合成樹脂やゴム等の材料で形成されるカバー材１１ａ、１１ｂを二分割した部品にて製作して、該二分割した部品を竿体支持孔の縁部８ａで嵌合することにより、該竿体支持の縁部を挟持して嵌着することを要旨としている。
【実施例３】
【００４９】
図７並びに図８は実施例３を説明するもので、図７は本発明の音鳴り防止、電蝕防止、並びに物干竿の落下防止部材を兼ね備えた形状実施例を示す斜視説明図、
図８は図７の実施例を支持アームの竿体支持孔に取付て物干竿を装架した状態を示す斜視説明図である。
【００５０】
図７，図８において６は支持アーム、７ａは竿体支持孔、８ａは竿体支持孔の縁部、１３は本実施例カバー材、１２は物干竿を示している。
【００５１】
物干竿１２を装架して支持する支持アーム６には複数個の竿体支持孔７ａ、７ｂ、７ｃ・・・を穿設し、該支持アーム６に穿設された竿体支持孔の縁部８ａには合成樹脂やゴム等の軟質系材料で不導体材料からなるカバー材１３を被覆せしめ、該カバー材１３には竿体支持孔７ａの中央に向かって突出ヒレ１４を鍔状に設けて、該突出ヒレ１４の鍔部中央には物干竿１２の挿着孔１５と放射状に配置された鍔部スリット１６ａ、１６ｂ、１６ｃ、１６ｄを設け、該突出ヒレ１４の鍔部にて物干竿１２を挟持することで音鳴り防止をし、且つ前記竿体支持孔７ａ内より物干竿１２が脱落しないように構成したことを要旨としている。
【実施例４】
【００５２】
図９乃至図１１は実施例４の説明図であり、図９は物干竿の落下防止構造を示す斜視説明図、図１０は図９の一実施例を説明する断面図、図１１は図９の他の具体例を説明する断面図である。
【００５３】
図９乃至図１１において、６は支持アーム、７ａ、７ｂ、７ｃは竿体支持孔、９ａ、９ｂ、９ｃはカバー材、１２は物干竿、１７は径の可変片、１８ａ、１８ｂはビス、１９はエンドキャップ鍔部、２０はエンドキャップ肉厚部である。
【００５４】
而して、実施例４は、支持アーム６に穿設された竿体支持孔７ｂの両サイド、または片側に合成樹脂等からなる竿体支持孔径の可変片１７を設け、該可変片１７をビス１８ａ、１８ｂ等にて支持アーム６に固着することにより、該竿体支持孔７ｂの内径の可変片１７にて竿体支持孔７ｂの内径を調節し物干竿１２のエンドキャップ鍔部１９に係合したりエンドキャップ肉厚部２０を係合部として物干し竿１２が支持アーム６の竿体支持孔７ｂより脱落しないよう構成した。
【００５５】
かくして、バルコニーの物干金物は、洗濯物を干したり取り込んだりする際に人為的に物干竿を横ずれさせてしまったり、洗濯物を干している時に該洗濯物が風をはらんで物干竿を横ずれさせて、前記支持アームの竿体支持孔間より外れてしまい物干竿が落下するのを防止するための構成が重要であるが、該物干竿をしっかりと挟持出来る機構を備えていないと高層マンション等で重大な事故につながるおそれがある問題点を解決しえた。また、実施例４はバネやスプリング等屋外で直ぐにサビを発生してしまう機構を用いておらずサビ対策にも優れたものをも提供できた。
【産業上の利用可能性】
【００５６】
斯くして本発明はマンション等のバルコニーに設置される規格型物干金物における物干竿の支持アームとして優れた効果を兼ね備えており住宅産業上広く活用されるものであり、その利用価値は多大なものがある。
【図面の簡単な説明】
【００５７】
【図１】本発明の物干竿支持アームを物干金物として壁面に取り付けた状態を          示す側面図である。
【図２】図１のＡ−Ａ断面図である。
【図３】図１のＢ−Ｂ断面図である。
【図４】本発明の音鳴り防止、並びに電蝕防止部材（カバー材）の形状を示す斜視説明図である。
【図５】本発明の音鳴り防止、並びに電蝕防止部材（カバー材）の形状実施例を示す斜視説明図である。
【図６】図４並びに図５の実施例を支持アームの竿体支持孔に取付て物干竿を装架した状態を示す斜視説明図である。
【図７】本発明の音鳴り防止、電蝕防止、並びに物干竿の落下防止部材を兼ね備えたカバー材の形状実施例を示す斜視説明図である。
【図８】図７の実施例を支持アームの竿体支持孔に取付て物干竿を装架した状態を示す斜視説明図である。
【図９】本発明の物干竿落下防止構造を示す斜視説明図である。
【図１０】図９の一実施例を説明する断面図である。
【図１１】図９の他の具体例を説明す断面図である。
【符号の説明】
【００５８】
１  物干金物
２  バルコニー手摺立ち上がり壁
３  台座
４  高さ調整ポール
５  アーム取付本体  
６  物干竿の支持アーム
７ａ、７ｂ、７ｃ、７ｄ、７ｅ  竿体支持孔
８ａ、８ｂ、８ｃ、８ｄ、８ｅ  竿体支持孔の縁部
９ａ、９ｂ、９ｃ、９ｄ、９ｅ  カバー材
１０  コの字形状部
１１ａ、１１ｂ  カバー部品
１２  物干竿
１３  カバー材
１４  突出ヒレ
１５  挿着孔
１６ａ、１６ｂ、１６ｃ、１６ｄ  鍔部スリット
１７  径の可変片
１８ａ、１８ｂ  ビス
１９  エンドキャップ鍔部
２０  エンドキャップ肉厚部  
【図１】
2005152530.tif 000003
【図２】
2005152530.tif 000004
【図３】
2005152530.tif 000005
【図４】
2005152530.tif 000006
【図５】
2005152530.tif 000007
【図６】
2005152530.tif 000008
【図７】
2005152530.tif 000009
【図８】
2005152530.tif 000010
【図９】
2005152530.tif 000011
【図１０】
2005152530.tif 000012
【図１１】
2005152530.tif 000013